(57)【要約】【課題】  便器高さと傾斜を立位排尿した時に飛散が発生し難い位置に移動すると共に、便器ボール内の溜水水位も変更することにより、使用者が立位排尿しても周囲に飛散しにくいこと、また座位、立位のどちらで排便、排尿を行っても使い勝手および洗浄性能が低下しないようにすることを可能とする。【解決手段】  本発明では、便器本体に洗浄水を給水する洗浄水給水手段と、使用者が排泄を行う前記便器本体のボールと、ボールと連通して溜水によって排水配管の臭気上昇を防止するトラップと、前記便器本体を傾斜させる便器回動手段と、を有する衛生設備機器において、前記ボール内の溜水水位を変更する溜水水位変更手段により、溜水水位を変更することを特徴とすることにより、立位排尿時において、便器と便器の周囲の汚れを低減させるを可能とした。【選択図】  図１
2010216082.tif 000002
【特許請求の範囲】
【請求項１】
便器本体に洗浄水を給水する洗浄水給水手段と、
使用者が排泄を行う前記便器本体のボールと、        
ボールと連通して溜水によって排水配管の臭気上昇を防止するトラップと、
前記便器本体を傾斜させる便器回動手段と、
を有する衛生設備機器において、
前記ボール内の溜水水位を変更する溜水水位変更手段により、溜水水位を変更する
ことを特徴とする衛生設備機器。
【請求項２】
更に、便器本体を上下移動させる便器上下手段を有することを特徴とする請求項１記載の衛生設備機器。
【請求項３】
前記溜水水位変更手段は、便器洗浄後の洗浄水給水手段の給水量変更によることを特徴とする請求項１または２に記載の衛生設備機器。
【請求項４】
前記溜水位変更手段は前記トラップの溢流水位変更による
ことを特徴とする請求項１または２に記載の衛生設備機器。
【請求項５】
前記溢流水位の変更によって前記トラップが破封する場合はトラップを機械的に閉止することを特徴とする請求項１から４の何れかに記載の衛生設備機器。
【請求項６】
前記溜水位変更手段は前記ボール内に形成したオーバーフロー孔のオーバーフローによることを特徴とする請求項１または２に記載の衛生設備機器。
【請求項７】
前記ボール面には、溜水水位変更によって露出する排尿位置を示すターゲットマークを形成したことを特徴とする請求項１から６の何れかに記載の衛生設備機器。
【発明の詳細な説明】
【技術分野】
【０００１】
本発明は、腰掛洋風大便器を有する衛生設備機器に関する発明である。 
【背景技術】
【０００２】
従来の腰掛洋風大便器は、男子が立位排尿する際、尿流の勢いによって、ボール内の溜水が飛散し、大便器および大便器の周囲を汚してしまうことがある。
そのための洋風大便器の付加機能として、溜水水位を低下させることで、溜水の飛散を防止している（例えば、特許文献１参照。）。 
このような場合、溜水をポンプで吸引していることから、例えば溜水中にトイレットペーパーや排泄物残りが存在していた場合、ポンプや配管に詰まりが発生する恐れがあり、改善の余地が残されていた。
【０００３】
また、溜水を吸引せずに溜水水位を変更するものとして、可動式のトラップの溢溜水位を変更しているものもある（例えば、特許文献２参照。）。
【先行技術文献】
【特許文献】
【０００４】
【特許文献１】特開２００２−２５６６１４２号公報
【特許文献２】特開２００６−２００１４９号公報
【発明の概要】
【発明が解決しようとする課題】
【０００５】
上記した先行文献では、溜水面を低下させることで、尿漏れを防止しようとしているが、洋風大便器は、便座が水平に設置させていることから、当然のことながら便器の上面も水平面を構成している。そのため先行文献は、溜水中に落下する尿の飛散には、効果はあるもののボウル内から便器外は飛散するもの、例えば、排尿終了直前に便器前端（使用者側を前方とした場合）から床に雫をたらしてしまったり、便器後方に飛散する尿に対しては、汚れの原因となっていまう不具合があった。
【０００６】
本発明は、上記問題を解決するためになされたもので、本発明の課題は、使用者が立位排尿しても尿が、周囲に飛散しにくい衛生設備を提供することである。
【課題を解決するための手段】
【０００７】
上記課題を達成するために請求項１記載の発明は、使用者が排泄を行うボールと、ボールと連通して溜水によって排水配管の臭気上昇を防止するトラップと、前記ボールを含む便器本体を傾斜させる便器回動手段とを有する衛生設備機器において、
前記ボール内の溜水水位を変更する溜水水位変更手段により、溜水水位を変更することを特徴とした。
【０００８】
本発明によれば、便器回動手段によって便器本体を傾斜させ、例えば、便器前方に向かって傾斜させた場合には、溜水水位は、ボール内の使用者側の水位が高くなり奧側の水位は低くなりボール面が露出する形となる。便器本体の前方が低くなっているので、立位での使用がしやすく、また、便器本体後方が高くなっていることにより尿が受けやすい状態になり、尿のボール外への飛散を低減できる。また、溜水水位は、回動位置を調整することで、溜水水位を任意に変更できるので、その場合には、溜水水位変更手段を兼ねることも可能である。前方から溜水が漏れることなく、また、ボール内と排水配管が連通してしまう破封を抑制することが可能である。
【０００９】
また、請求項２記載の発明は、更に、便器本体を上下移動させる便器上下手段を有することを特徴とした。
【００１０】
本発明によれば、便器本体の高さを調整可能としたので、子どもから大人まで身長差に合わせて排尿のしやすい位置を設定できるので、尿のボール外への飛散を低減できる。
【００１１】
また、請求項３記載の発明は、前記溜水水位変更手段は、便器洗浄後の洗浄水給水手段の給水量変更によることを特徴とした。
【００１２】
本発明によれば、便器洗浄後の溜水形成のための洗浄水の給水位量を増減させることで、便器本体の傾斜の状態、近年節水化によって益々少なくなってきている便器の溜水量を考慮しながら、溜水水位を変更できるので、便器を傾斜させても、溢れや破封の恐れのないものとすることができる。
【００１３】
また、請求項４記載の発明は、前記溜水水位変更手段は前記トラップの溢流水位変更によることを特徴とした。
【００１４】
本発明によれば、一般的に溜水の水位は、トラップの溢流水位で一義的に決まるので、トラップの溢流水位を変更すること溜水水位は任意に変更可能となるので、便器を傾斜させても、溢れや破封の恐れのないものとすることができる。
【００１５】
また、請求項５記載の発明は、前記溢流水位の変更によって前記トラップが破封する場合はトラップを機械的に閉止することを特徴とした。
【００１６】
本発明によれば、トラップが破封する恐れがある場合には、回動動作等に連動して、トラップを機械的に閉止することにより、溜水の水位を低下により破封が生じても、排水管内の臭気が上昇することの防止を可能とした。
【００１７】
また、請求項６記載の発明は、前記前記溜水位変更手段は前記ボール内に形成したオーバーフロー孔のオーバーフローによることを特徴とした。
【００１８】
本発明によれば、ボール内にオーバーフロー孔を形成したので、便器本体が傾斜した際、溜水がこのオーバーフロー孔までの水位に達した場合には、溜水は、オーバーフロー孔よりトラップ側に誘導されることになるため、水位はオーバーフロー孔より上には水位上昇しないようにでき、溜水の便器本体からの漏れを防止することを可能とした。
【００１９】
また、請求項７記載の発明は、前記ボール面には、溜水水位変更によって露出する排尿位置を示すターゲットマークを形成した前記水位変更によって排尿位置を示すターゲットマークを露出させることを特徴とすることにより、立位排尿者に飛散の少ないボール内壁面に排尿を誘導できるので、尿のボール外への飛散を極力防止できる。
【発明の効果】
【００２０】
本発明は、使用者が立位排尿しても尿が、周囲に飛散しにくい衛生設備を提供できる。
【発明を実施するための最良の形態】
【００２１】
図１は本発明を実施した実施例における衛生設備機器を示す斜視図である。図１を使用して本実施例における衛生設備機器の全体構成について以下に述べる。
【００２２】
本実施例における衛生設備機器１は、使用者が大小便などの排泄物を排泄する後述のボール２０を有し、便器洗浄機能などの通常の便器機能を備えた便器本体４と、便器本体４に一体的に組み込まれた衛生洗浄装置８と、前記便器本体４を後述の位置、姿勢に移動させるための便器回動手段５−１と便器上下手段５−２と、前記便器回動手段５−１と前記便器上下手段５−２に対して駆動のトリガーを与えるべく、使用者が誰であるかや排尿姿勢などを入力する操作・表示部７０とで構成されている。便器回動手段５−１と便器上下手段５−２は本実施例では便器本体４の後部に設置されたキャビネット１８の中に収納されている。また、キャビネット１８内には、図示しない貯水タンク等の洗浄水給水手段が収納されている。貯水タンクと便器本体は、可撓性のあるパイプで接続されているので、便器本体４が回動、上下に移動しても接続が外れることがない。
便器本体は、壁掛け式の便器が、一般的に採用する床に固定されたフレームの一部に便器の後端の取り付け面をボルトとナットにて固定する構造を取っている。フレームは、図示していないが、キャビネット内１８に収納されている。
【００２３】
便器本体４は陶器製もしくは樹脂製であり、ボール２０の上部には樹脂製の便座１７１が開閉自在に取り付けられている。本実施例では一般的に採用される便ふたを省略した事例を示している。例えば医療機関で使用される場合、便ふたを回動させる動作が身体に疾病を抱えている患者にとっては負担になるということに配慮したものであり、一般家庭で使用される場合は暖房便座からの放熱や意匠性を配慮して便ふたを設けても良い。また、使用者の上半身を支えることを配慮した背もたれ１７２を、キャビネット１８に設置している。
【００２４】
便器回動手段５−１と便器上下手段５−２は、回動および上下移動するための回動軸やフレームや摺動手段やアクチュエータなどで構成されるが、本発明には機構構成が左右されないため詳細は省略する。例えば、上記した便器固定用のフレームを前方に湾曲させ、便器本体を固定している固定部をアクチュエータでフレームに沿って移動するようにすることで、湾曲の程度に応じて、傾斜角度を設定でき、便器本体は、前方に傾斜することが可能となる。
また、便器本体４のみの重量を回動および上下移動させるパワーを発生し、それ以上の負荷に対してはスリップするような動作仕様とするだけでなく、使用者の体重を含めたパワーを発生するものであっても良い。使用者の体重を含めたパワーを発生するものである場合、使用者の立ち上がりを補助することも可能である。便器回動手段５−１と便器上下手段５−２は、キャビネット１８の内部に収納されている。したがって、キャビネット１８の大きさ・形状は便器回動手段５−１と便器上下手段５−２の占有体積により変更される。
【００２５】
操作・表示部７０は、便器回動手段５−１と便器上下手段５−２に動作トリガーを与えるリモコン７２と、衛生洗浄装置操作用のリモコン７１とを備えている。使用者の操作性・視認性を配慮した時に、操作・表示部７０と排泄情報測定用のリモコン７２は壁に取り付けることが推奨される。
【００２６】
リモコン７２は使用者がトレイに入室し、便器の位置と姿勢を所定位置に移動させる時に操作するもので、本発明においては座位もしくは立位という排尿姿勢を入力するスイッチと、着座時の高さを使用者毎に変更するための個人認証スイッチが配置され、本発明に関連するスイッチは排尿姿勢を入力するスイッチである。
【００２７】
施工時やメンテナンス実施時に、装置に対して動作設定等をティーチングする装置設定操作は、リモコン７１またはリモコン７２のスイッチに所定手順の操作を実施することで切替設定されるようになっている。方法としては、普段使われないスイッチであることからカバーを開いて操作スイッチを露出させたり、所定のスイッチを長時間押したりすることで複数の用途に１つのスイッチを使用するものである。施工時やメンテナンス実施時のみに実施される行為としては、個人認証結果毎に指定の便器高さを記憶させるものである。
【００２８】
本発明の衛生設備機器の使用方法は以下の通りである。使用者がトイレに入室する。座位で排泄する場合はリモコン７２の個人認証スイッチ７２−１を操作する。その操作をトリガーとして、便器上下手段５−２は便器本体４を各個人毎にティーチングされた所定高さに移動させる。立位で排泄する場合は、リモコン７２の立位スイッチ７２−２を操作する。その操作をトリガーとして、便器回動手段５−１と便器上下手段５−２は便器本体４を所定の高さと傾斜に移動させと共に、本発明の溜水水位変更手段手段によってボール２０内の溜水水位を変更する。具体的な溜水水位の変更動作は後述する。
【００２９】
立位で排泄する場合、便器本体４の姿勢は前傾にする場合と後傾にする場合が考えられる。前傾すると便器本体４に対してアプローチしやすくなるし、後傾すると尿垂れを受けやすくなるという特徴がある。どちらを選択するかは、便器本体４の外観意匠や、実際に使用する人の体格によって変化する使い勝手によって変更する必要がある。傾斜の状態やその高さについても、使用する人の体格によって変化する使い勝手によって便器回動手段と便器上下手段を併用して調整する。
【００３０】
図２は本発明を実施した第一実施例における衛生設備機器を示す断面図である。図２を使用して本実施例における衛生設備機器を用いた使用者の立位による尿受け動作について以下に述べる。
【００３１】
第一実施例においては、使用者が便器本体４に対して近接アプローチし易いことを配慮し、使用者が、予め決められた傾斜角度を設定した立位で排泄することをリモコン７２で指示し、図示しない便器回動手段を作動させ前傾させている。通常の座位での使用位置で回動した場合、便器本体４の底部が床に干渉して目指すべき位置まで便器本体４の前端が下げられないことがある。その場合には、本実施例においては、図示しない便器上下手段を使用し、まず、便器本体４の後端部を上方に引き上げ、その後に、回動手段によって、目指すべき位置まで便器本体４の前端を下げるように配慮されている。前傾の状態によって溜水水位が任意に変更可能なので、ボール２０から溜水が漏れないことを考慮して溜水水位を設定する。この場合、溜水水位変更手段は、回動手段の回動角度の設定によって行われる。
【００３２】
前傾させて使用する場合、ボール２０内の溜水は便器本体４の前方部においては、ボール２０上端に近くなるが、溜水がボール２０上端から漏れないように、本実施例では、ボール２０内面にオーバーフロー穴３１を設け、このオーバーフロー穴３１とオーバーフロー管３２と接続することで、溜水水位が所定水位以上にならないよう配慮されている。なお、オーバーフロー管３２と排水配管３４の間にはトラップ３２−ａが設けられており、排水配管内で発生した臭気や衛生害虫がトイレ内に侵入することを防止している。特別な排水手段を設けることなく簡便な配管手段の採用により、便器本体４を前傾させることで発生する溜水水位の上昇を防止することが可能である。便器本体が傾斜したタイミングで使用者は放尿が可能となる。
【００３３】
なお、最も尿の飛散が少ない位置が前記溜水水位の変更によって生じる場合、その位置に排尿を促すターゲットマーク２１を形成することが推奨される。ターゲットマーク２１の形成方法としては、ボール２０に図記号を表示するだけでなく、ボール２０の肉厚を透過する光で表示したり、照明を投光して所定部分を視認可能とするものであってもよい。
【００３４】
図３は本発明を実施した第ニ実施例における衛生設備機器を示す断面図である。図３を使用して本実施例における衛生設備機器を用いた使用者の立位による尿受け動作によるについて以下に述べる。上記の実施例と同じ部位には、同じ符合を用いる。
【００３５】
第ニ実施例においては、排尿者が便器本体４に対して立位で排泄した後、陰茎からの尿垂れが床に落下することを防止するために、ボール２０を陰茎に近接させることを配慮し、図示しない便器回動手段を使用して前端を上方に移動させている。所定高さ位置で回動した場合、便器本体４の前端が陰茎に近接するまで上昇することがある。本実施例においては、図示しない便器上下手段を使用し、便器本体４の後端部を下方に引き下げることで、目指すべき位置までしか便器本体４の前端を上がらないように配慮されている。
【００３６】
後傾させて使用する場合、ボール２０内の溜水は便器本体４の後部に移動し、トラップ２２は満水に近づくことになる。その場合、サイホン作用によって溜水が排出され、トラップを通じて溜水が排水されて破封してしまうことがある。回動動作をゆっくりすることで、トラップ２２内を満水にしない方法もあるが、本実施例においては、トラップと排水配管を接続する配管内の流路を開閉可能なバルブ３３を作動させることで、溜水がトラップ内に引き込まれ破封する前に、バルブ３３を閉にすることで、破封を防ぐことが可能である。また破封を防止する別手段としては、図示しない水道水を直接利用する洗浄水給水手段と流路開閉手段を制御して便器洗浄後にボール２０に供給する水量を減じて、所定の位置まで便器本体４が後傾してもトラップ２２が満水しないようにしてもよい。
【００３７】
図４は本発明を実施した第三実施例における衛生設備機器を示す断面図である。図４を使用して本実施例における衛生設備機器を用いた使用者の立位による尿受け動作について以下に述べる。上記の実施例と同じ部位には、同じ符合を用いる。
【００３８】
前述の第一実施例と第二実施例は、本発明を固定構造のトラップに採用した事例であるが、第三実施例のように可動式にしてもよい。即ち、トラップ２２の排出端を上下に移動させる構造であってもよい。本実施例のように、便器本体４の前端を下げる場合、トラップ２２の排出端を下方に移動させることによって、立位排尿による飛散を抑制することのできる所定の水位に変更することが可能である。使用の際に限定して溜水を低下させ、封水高さを５０ｍｍ以下とすることで、初水位を１２０ｍｍ以上確保することが可能である。
【００３９】
図５は本発明を実施した第四実施例における衛生設備機器を示す断面図である。図５を使用して本実施例における衛生設備を用いた使用者の立位によるについて以下に述べる。上記の実施例と同じ部位には、同じ符合を用いる。
【００４０】
本実施例は、第二実施例のバルブ３３の代わりに、前傾または後傾により、破風の恐れがある際には、図５に示すようにトラップ２２とトラップ２２の上部にある蓋２３を利用して、トラップを機械的に閉止することが可能である。
【００４１】
図６は本発明を実施した実施例における衛生設備機器を示すシステムブロック図である。図６を使用して本実施例における衛生設備機器の各部の連係動作について以下に述べる。
【００４２】
便器本体４にはボール２０が形成され、ボール２０内の溜水２４を介してトラップ２２が構成されている。トラップ２２を通過した排泄物混じりの溜水は、排水ソケット２５を介して排水配管３４に接続されている。給水手段１０と流路開閉手段１１を制御して、市水はボール２０の吐水口２６に供給されるようになっている。また、便器本体４は便器回動手段４０と便器上下手段４１によって、所定の傾斜、所定の高さに移動するようになっている。便器回動手段５−１、便器上下手段５−２、洗浄水給水手段１０、および流路開閉手段１１は、コントローラ５０によって制御される。例えば第三実施例のように、溜水水位変更手段２７をコントローラ５０によって制御することもある。本発明が効果を発揮するのは、主に男性が立位で排尿する場合であり、操作表示手段７０に設けられた個人識別指示手段７２−１と立位排尿指示手段７２−２によって所定の動作を行うことが指示されるようになっている。
【００４３】
図７は本発明を実施した実施例における衛生設備機器を示すチャート図である。図７を使用して本実施例の動作について順を追って以下に述べる。
【００４４】
Ｓ１０１で動作フローがスタートする。トイレに入った使用者はＳ１０２で排尿姿勢を入力する。Ｓ１０３において座位ではない、つまり立位で排尿すると入力した場合、Ｓ１０４で溜水水位が変更される。水位の変更方法は前述のように、溜水排出など各種手法がある。次いで、Ｓ１０５とＳ１０６によって便器本体４が所定の傾斜・高さに移動する。移動が完了すると、使用者はＳ１０７で排尿を行う。使用者が排泄を終え、Ｓ１０８で便器洗浄操作を実施すると、便器本体４はＳ１０９で水平位置に移動し、Ｓ１１０で便器洗浄動作を実施する。便器洗浄が完了すると、便器本体４はＳ１１１で所定高さに移動し、Ｓ１１２で動作が完了する。また、Ｓ１０３において座位で排泄されることが入力された場合、Ｓ１２０で個人を特定する入力が実施される。次いでＳ１２１で便器高さを特定された個人に対して最適な高さに移動する。Ｓ１２２で使用者は排泄・排便を実施する。使用者が排泄を終え、Ｓ１２３で便器洗浄操作を実施すると、Ｓ１２４で便器洗浄動作を実施する。便器洗浄が完了すると、Ｓ１２５で便器高さを待機位置に移動させ、Ｓ１２６で動作が完了する。
【００４５】
なお、上記実施例では、男性の立位での排尿の効果を実施例によって説明したが、本願発明は、女性の座位による排尿の際の尿はねの抑制にも効果がある。即ち、女性の尿跳ねは、便器本体前方のボール面の乾燥面（溜水面より上方のボール面）に尿が当たって跳ねることによって生じる。本願発明では、便器本体を傾斜させることで、そのボールの乾燥面に溜水が移動するので、排尿時、尿は溜水中に投入されるので、乾燥面に直接当たるよりかは、尿はねを抑制できる。傾斜角度もボール面の乾燥面に溜水が到達する程度で良いので、着座しての使用に際しても違和感なく使用可能である。
【図面の簡単な説明】
【００４６】
【図１】本発明を実施した実施例における衛生設備機器全体を示す斜視図である。
【図２】本発明を実施した第一実施例における衛生設備機器を示す断面図である。
【図３】本発明を実施した第ニ実施例における衛生設備機器を示す断面図である。
【図４】本発明を実施した第三実施例における衛生設備機器を示す断面図である。
【図５】本発明を実施した第四実施例における衛生設備機器を示す断面図である。
【図６】本発明を実施した実施例における衛生設備機器を示すシステムブロック図である。
【図７】本発明を実施した実施例における衛生設備機器を示すチャート図である。
【符号の説明】
【００４７】
１…衛生設備機器
４…便器本体
５−１…便器回動手段
５−２…便器上下手段
１０…洗浄水給水手段
１１…流路開閉手段
１８…キャビネット
２０…ボール
２１…ターゲットマーク
２２…トラップ
２３…蓋
２４…溜水
２５…排水ソケット
２６…吐水口
２７…溜水水位変更手段
３１…オーバーフロー穴
３２…オーバーフロー管
３２−ａ…トラップ
３３…バルブ
４０…便器回動手段
４１…便器上下手段
５０…コントローラ
７０…操作・表示部（操作表示手段）
７１…リモコン
７２…リモコン
７２−１…個人認証スイッチ（個人識別指示手段）
７２−２…立位スイッチ（立位排尿指示手段）
１７２…樹脂製便座
【図２】
2010216082.tif 000003
【図３】
2010216082.tif 000004
【図４】
2010216082.tif 000005
【図５】
2010216082.tif 000006
【図６】
2010216082.tif 000007
【図７】
2010216082.tif 000008
【図１】
2010216082.tif 000009